(57)【要約】【課題】外部電源の停電時において点灯が必要な状況で点灯可能な照明器具を提供する。【解決手段】照明器具１０は、光源２と、非常用電源３と、電源回路部４と、明るさセンサ５とを備える。明るさセンサ５は、照明器具１０の周囲の明るさを検知する。電源回路部４は、商用電源１が正常に供給されている状態では商用電源１により非常用電源３を充電し、商用電源１の停電時に非常用電源３により光源２を点灯させる。また、電源回路部４は、光源２を点灯させる通常モードと、光源２を消灯させる休止モードとを有し、商用電源１が停電になると、明るさセンサ５の検知結果に応じて通常モード又は休止モードを選択する。【選択図】図１
2015015191.tif 000002
【特許請求の範囲】
【請求項１】
光源と、非常用電源と、外部電源が正常に供給されている状態では前記外部電源により前記非常用電源を充電する充電部と、前記外部電源の停電時に前記非常用電源により前記光源を点灯させる点灯部と、前記点灯部の動作を制御する制御部と、周囲の状況を検知するための検知部とを備え、
前記制御部は、前記光源を点灯させる通常モードと、前記光源を消灯又は前記光源を前記通常モードより減光させる休止モードとを有し、前記外部電源が停電になると前記検知部の検知結果に応じて前記通常モード又は前記休止モードを選択することを特徴とする照明器具。
【請求項２】
前記制御部は、前記外部電源の停電時に前記通常モードを選択した場合、前記外部電源の停電から一定時間が経過するまで前記通常モードを継続し、前記一定時間が経過すると前記検知部の検知結果に応じて前記通常モード又は前記休止モードを選択することを特徴とする請求項１記載の照明器具。
【発明の詳細な説明】
【技術分野】
【０００１】
本発明は、照明器具に関するものである。
【背景技術】
【０００２】
従来より、外部電源の停電時にバッテリを電源として発光ダイオードを点灯させる非常用の照明装置が提供されている（例えば特許文献１参照）。
【０００３】
特許文献１に記載された照明装置は、外部電源の停電を検出する停電検出回路と、外部電源が正常に供給されている状態で外部電源によりバッテリを充電する充電回路とを備える。また、照明装置は、外部電源の交流を所定電圧の直流に変換して発光ダイオードに供給する常用点灯回路と、外部電源の停電時にバッテリを電源として発光ダイオードを点灯させる非常用点灯回路とを備える。
【０００４】
この照明装置は、外部電源が正常に供給されている間は常用点灯回路により発光ダイオードを所定の点灯レベルで点灯させ、且つ充電回路によりバッテリを充電する。そして、停電検出回路により外部電源の停電が検出されると常用点灯回路から非常用点灯回路に切り替えられ、非常用点灯回路により発光ダイオードを上記点灯レベルよりも高い点灯レベルで点灯させる。
【先行技術文献】
【特許文献】
【０００５】
【特許文献１】特開２００７−７３１９３号公報
【発明の概要】
【発明が解決しようとする課題】
【０００６】
上述の特許文献１に示した照明装置では、外部電源が停電になると点灯が不要な場合（例えば周囲が明るい）であっても点灯させているため、それ以降に点灯が必要な状況が生じた場合に点灯できない可能性があった。
【０００７】
本発明は上記問題点に鑑みて為されたものであり、その目的とするところは、外部電源の停電時において点灯が必要な状況で点灯可能な照明器具を提供することにある。
【課題を解決するための手段】
【０００８】
本発明の照明器具は、光源と、非常用電源と、外部電源が正常に供給されている状態では前記外部電源により前記非常用電源を充電する充電部と、前記外部電源の停電時に前記非常用電源により前記光源を点灯させる点灯部と、前記点灯部の動作を制御する制御部と、周囲の状況を検知するための検知部とを備え、前記制御部は、前記光源を点灯させる通常モードと、前記光源を消灯又は前記光源を前記通常モードより減光させる休止モードとを有し、前記外部電源が停電になると前記検知部の検知結果に応じて前記通常モード又は前記休止モードを選択することを特徴とする。
【０００９】
この照明器具において、前記制御部は、前記外部電源の停電時に前記通常モードを選択した場合、前記外部電源の停電から一定時間が経過するまで前記通常モードを継続し、前記一定時間が経過すると前記検知部の検知結果に応じて前記通常モード又は前記休止モードを選択するのが好ましい。
【発明の効果】
【００１０】
本発明の構成によれば、検知部の検知結果により点灯が不要であると判断された場合には、休止モードを選択することで非常用電源の残量を温存することができ、それ以降で点灯が必要な状況が生じた場合にも点灯させることができるという効果がある。
【図面の簡単な説明】
【００１１】
【図１】本実施形態の照明器具の一例を示す概略ブロック図である。
【図２】（ａ）は同上の照明器具の外観図、（ｂ）は同上の別の照明器具の外観図である。
【図３】（ａ）〜（ｆ）は同上の照明器具の動作を説明する説明図である。
【図４】（ａ）〜（ｆ）は同上の別の照明器具の動作を説明する説明図である。
【図５】（ａ）〜（ｄ）は従来の照明器具の動作を説明する説明図である。
【発明を実施するための形態】
【００１２】
以下に、照明器具の実施形態について図１〜図５を参照しながら説明する。なお、以下の説明では、本照明器具を非常灯に適用した場合を例に説明するが、本照明器具を誘導灯（避難口誘導灯、通路誘導灯、階段通路誘導灯など）に適用してもよく、本実施形態に限定されない。
【００１３】
図１は本実施形態の照明器具の一例を示す概略ブロック図である。この照明器具１０は、光源２と、非常用電源３と、電源回路部４と、明るさセンサ５とを備える。
【００１４】
光源２は、例えば発光ダイオード（ＬＥＤ）からなり、商用電源１（外部電源）の停電時に電源回路部４を介して非常用電源３より供給される直流電力によって点灯する。また、光源２は、商用電源１が正常に供給されている状態では点灯しない。つまり、この光源２は、商用電源１の停電時にのみ点灯する非常用の光源である。
【００１５】
非常用電源３は、例えばニッケル水素電池のような蓄電池からなり、商用電源１が正常に供給されている間は電源回路部４によって充電され、商用電源１が停電になると蓄積した直流電力を光源２に供給する。なお、非常用電源３は蓄電池に限定されるものではなく、商用電源１の停電時において光源２に直流電力を供給できるものであればよい。
【００１６】
電源回路部４は、商用電源１より供給される交流電力を所望の電圧値の直流電力に変換し、変換した直流電力を非常用電源３に充電する機能と、商用電源１の停電時に非常用電源３に蓄積させた直流電力を光源２に供給する機能とを有する。また、電源回路部４は、商用電源１の停電時において光源２を点灯させる通常モードと光源２を消灯させる休止モードとを有し、明るさセンサ５の検知結果に応じて何れかの動作モードを選択する。ここに本実施形態では、電源回路部４により充電部、点灯部及び制御部が構成されている。
【００１７】
明るさセンサ５（検知部）は、照明器具１０の周囲の明るさを検知し、明るさに応じた電圧値の電圧信号を電源回路部４に出力する。例えば、検知した明るさが明るくなるに従って上記電圧信号の電圧値が大きくなる場合、上記電圧信号の電圧値が所定値以下になると電源回路部４は周囲が暗いと判断し、通常モードを選択して光源２を点灯させる。また、上記電圧信号の電圧値が所定値よりも大きくなると電源回路部４は周囲が明るいと判断し、休止モードを選択して光源２を消灯させる。なお、動作については後述する。
【００１８】
図２（ａ）は上述した照明器具１０の外観図である。この照明器具１０は、一面（図２（ａ）中の下面）が開口する有底筒状に形成された器具本体６を有し、器具本体６の開口端縁には、外向きに突出する鍔部６ａが全周に亘って設けられている。また、器具本体６の筒内には、上述した光源２、非常用電源３、電源回路部４及び明るさセンサ５が収納されており、光源２は、器具本体６の開口を臨むようにして配置されている。この照明器具１０は、鍔部６ａを室内側に露出させた状態で天井（図示せず）に埋込配設される。
【００１９】
図５（ａ）〜図５（ｄ）は従来の照明器具の動作を説明する説明図である。
【００２０】
商用電源１が正常に供給されている状態では、図５（ａ）に示すように、商用電源１より供給される電力によって電源回路部４が非常用電源３を充電する。このとき、光源２は消灯している。商用電源１が停電になると、図５（ｂ）に示すように、非常用電源３より供給される直流電力によって電源回路部４が光源２を点灯させる。このとき、時間の経過とともに非常用電源３の残量が減少していく。
【００２１】
非常用電源３の残量がゼロになると、図５（ｃ）に示すように、光源２が消灯する。そして、商用電源１が復旧して交流電力が再び供給されると、図５（ｄ）に示すように、電源回路部４が非常用電源３を再び充電する。このとき、光源２は消灯している。
【００２２】
上述のように、従来の照明器具では、商用電源１が停電になると周囲の状況に関わらず強制的に点灯させているため、例えば商用電源１が復旧した後に再び停電が発生した場合に、非常用電源３の残量不足から点灯できない可能性があった。
【００２３】
そこで本実施形態では、上記問題を解決するために、商用電源１の停電時に周囲の状況に応じて通常モード又は休止モードを選択できるようになっている。以下、具体的に説明する。
【００２４】
図３（ａ）〜図３（ｆ）は本実施形態の照明器具１０の動作を説明する説明図である。
【００２５】
商用電源１が正常に供給されている状態では、図３（ａ）に示すように、商用電源１より供給される電力によって電源回路部４が非常用電源３を充電する。このとき、光源２は消灯している。
【００２６】
商用電源１が停電になると、電源回路部４は明るさセンサ５の検知結果に応じて通常モード又は休止モードを選択する。明るさセンサ５の検知結果から周囲が暗いと判断した場合、電源回路部４は通常モードを選択し、非常用電源３より供給される直流電力によって光源２を点灯させる（図３（ｂ）参照）。また、明るさセンサ５の検知結果から周囲が明るいと判断した場合、電源回路部４は休止モードを選択し、光源２を消灯したままにする（図３（ｆ）参照）。
【００２７】
電源回路部４は、商用電源１の停電時に通常モードを選択すると、商用電源１が停電してから一定時間が経過するまで通常モードを継続し、一定時間が経過すると明るさセンサ５の検知結果に応じて通常モード又は休止モードを選択する。ここに、一定時間とは、商用電源１の停電時において非常点灯させなければならない時間のことであり、この一定時間は建築基準法に規定されている。
【００２８】
商用電源１の停電から一定時間経過後、明るさセンサ５の検知結果から周囲が暗いと判断した場合、電源回路部４は通常モードを選択し、非常用電源３より供給される直流電力によって光源２を点灯させる（図３（ｃ）参照）。このとき、時間の経過とともに非常用電源３の残量が減少していく。
【００２９】
非常用電源３の残量がゼロになると、図３（ｄ）に示すように、光源２が消灯する。そして、商用電源１が復旧して交流電力が供給されると、図３（ｅ）に示すように、電源回路部４が非常用電源３を再び充電する。このとき、光源２は消灯している。
【００３０】
一方、商用電源１の停電から一定時間経過後、明るさセンサ５の検知結果から周囲が明るいと判断した場合、電源回路部４は休止モードを選択し、非常用電源３による給電を停止して光源２を消灯させる（図３（ｆ）参照）。そして、商用電源１が復旧して交流電力が供給されると、図３（ｅ）に示すように、電源回路部４が非常用電源３を再び充電する。このとき、光源２は消灯している。
【００３１】
上述のように、電源回路部４が商用電源１の停電時に休止モードを選択した場合には、非常用電源３の残量を温存することができ、例えば商用電源１が復旧した後に再び停電が発生した場合でも非常用電源３によって点灯させることができる。また、商用電源１が停電してから一定時間が経過するまで通常モードを継続し、その後休止モードを選択した場合でも、非常用電源３の残量を温存できることから、同様の状況において非常用電源３によって点灯させることができる。
【００３２】
図２（ｂ）は本実施形態の別の照明器具１０の外観図である。この照明器具１０は、商用電源１の停電時に点灯させる非常用の光源２と、商用電源１が正常に供給されている状態で点灯させる常用の光源７とを備えている。以下、この照明器具１０の動作について図４を参照しながら説明する。
【００３３】
商用電源１が正常に供給されている状態では、図４（ａ）に示すように、商用電源１より供給される電力によって、電源回路部４が非常用電源３を充電し且つ光源７を点灯させる。このとき、光源２は消灯している。
【００３４】
商用電源１が停電になると、電源回路部４は明るさセンサ５の検知結果に応じて通常モード又は休止モードを選択する。明るさセンサ５の検知結果から周囲が暗いと判断した場合、電源回路部４は通常モードを選択し、非常用電源３より供給される直流電力によって光源２を点灯させる（図４（ｂ）参照）。また、明るさセンサ５の検知結果から周囲が明るいと判断した場合、電源回路部４は休止モードを選択し、光源２を消灯したままにする（図４（ｆ）参照）。なおこのとき、商用電源１が停電していることから、光源７は消灯している。
【００３５】
電源回路部４は、商用電源１の停電時に通常モードを選択すると、商用電源１が停電してから一定時間が経過するまで通常モードを継続し、一定時間が経過すると明るさセンサ５の検知結果に応じて通常モード又は休止モードを選択する。
【００３６】
商用電源１の停電から一定時間経過後、明るさセンサ５の検知結果から周囲が暗いと判断した場合、電源回路部４は通常モードを選択し、非常用電源３より供給される直流電力によって光源２を点灯させる（図４（ｃ）参照）。このとき、時間の経過とともに非常用電源３の残量が減少していく。
【００３７】
非常用電源３の残量がゼロになると、図４（ｄ）に示すように、光源２が消灯する。そして、商用電源１が復旧して交流電力が供給されると、図４（ｅ）に示すように、電源回路部４が非常用電源３を再び充電し且つ光源７を再び点灯させる。このとき、光源２は消灯している。
【００３８】
一方、商用電源１の停電から一定時間経過後、明るさセンサ５の検知結果から周囲が明るいと判断した場合、電源回路部４は休止モードを選択し、非常用電源３による給電を停止して光源２を消灯させる（図４（ｆ）参照）。そして、商用電源１が復旧して交流電力が供給されると、図４（ｅ）に示すように、電源回路部４が非常用電源３を再び充電し且つ光源７を再び点灯させる。このとき、光源２は消灯している。
【００３９】
本例においても、電源回路部４が商用電源１の停電時に休止モードを選択した場合には、非常用電源３の残量を温存することができ、例えば商用電源１が復旧した後に再び停電が発生した場合でも非常用電源３によって点灯させることができる。また、商用電源１が停電してから一定時間が経過するまで通常モードを継続し、その後休止モードを選択した場合でも、非常用電源３の残量を温存できることから、同様の状況において非常用電源３によって点灯させることができる。
【００４０】
なお、本実施形態では、休止モードが選択されると光源２を消灯させたが、例えば光源２の照度を通常モードよりも減光させてもよく、本実施形態に限定されない。また、本実施形態では、検知部として明るさセンサを用いたが、例えば人感センサ、煙感知器、タイマなどを用いてもよく、本実施形態に限定されない。
【００４１】
例えば、検知部として人感センサを用いた場合には、商用電源１の停電時に人感センサが人を検知すると、電源回路部４が通常モードを選択し、光源２を点灯させる。一方、人感センサが人を検知しない状態では、電源回路部４が休止モードを選択し、光源２を消灯させたままにする。
【００４２】
また、検知部として煙感知器を用いた場合には、商用電源１の停電時に煙感知器が照明器具１０の周囲の煙の濃度を検知し、この濃度が所定値以上である場合には電源回路部４が通常モードを選択し、光源２を点灯させる。一方、煙感知器が検知した煙の濃度が所定値未満である場合には、電源回路部４が休止モードを選択し、光源２を消灯させたままにする。
【００４３】
さらに、検知部としてタイマを用いた場合には、タイマにより設定された時間に商用電源１が停電になると、電源回路部４が通常モードを選択し、光源２を点灯させる。一方、タイマにより設定された時間外に商用電源１が停電になると、電源回路部４が休止モードを選択し、光源２を消灯させたままにする。
【００４４】
さらに、本実施形態では、明るさセンサ５を器具本体６と一体に設けているが、器具本体６と別体に設けてもよい。また、検知部として人感センサや煙感知器、タイマを用いた場合も同様である。
【００４５】
照明器具１０は、光源２と、非常用電源３と、電源回路部４（充電部、点灯部、制御部）と、明るさセンサ５（検知部）とを備える。明るさセンサ５は、周囲の状況を検知する。電源回路部４は、商用電源１（外部電源）が正常に供給されている状態では商用電源１により非常用電源３を充電し、商用電源１の停電時に非常用電源３により光源２を点灯させる。また、電源回路部４は、光源２を点灯させる通常モードと、光源２を消灯又は光源２を通常モードより減光させる休止モードとを有し、商用電源１が停電になると明るさセンサ５の検知結果に応じて通常モード又は休止モードを選択する。
【００４６】
電源回路部４は、商用電源１の停電時に通常モードを選択した場合、商用電源１の停電から一定時間が経過するまで通常モードを継続し、一定時間が経過すると明るさセンサ５の検知結果に応じて通常モード又は休止モードを選択する。
【符号の説明】
【００４７】
１  商用電源（外部電源）
２  光源
３  非常用電源
４  電源回路部（充電部、点灯部、制御部）
５  明るさセンサ（検知部）
１０  照明器具
【図１】
2015015191.tif 000003
【図２】
2015015191.tif 000004
【図３】
2015015191.tif 000005
【図４】
2015015191.tif 000006
【図５】
2015015191.tif 000007